(57)【要約】【課題】  レリーズタイムラグを縮めて、軽快な撮影を行うことができるカメラを提供することを目的とする。【解決手段】  制御部１は、測光部１０３により計測された輝度値に応じて露出値を算出し、算出された露出値に応じてＦ値とシャッタースピードとを可変にすることで露出制御を行う。制御部１は、露出制御を行う際、算出された露出値における所定範囲においては、Ｆ値を一定にしてシャッタースピードのみを可変にすることで露出制御を行う。また、前記所定範囲を超えた範囲においては、Ｆ値とシャッタースピードとをともに可変にすることで露出制御を行うとともに、前記所定範囲を超えた範囲における、特定範囲においては、当該特定範囲の下限で定められたＦ値より大きいＦ値を用いて当該特定範囲における露出制御を行う。【選択図】  図２
2006243188.tif 000002
【特許請求の範囲】
【請求項１】
外光輝度を検出する輝度検出手段と、
前記輝度検出手段により算出した外光輝度に基づいて露出値を算出する露出値演算手段と、
前記露出値演算手段により算出された露出値における所定範囲においては、Ｆ値を一定にしてシャッタースピードのみを可変にすることで露出制御を行い、前記所定範囲を超えた範囲においては、Ｆ値とシャッタースピードとをともに可変にすることで露出制御を行うとともに、前記所定範囲を超えた範囲における、特定範囲においては、当該特定範囲の下限で定められたＦ値より大きいＦ値を用いて当該特定範囲における露出制御を行う露出制御手段と、
を備えるカメラ。
【請求項２】
被写体までの距離を測定する測距手段と、
撮影する際には前記測距手段により測定された被写体までの距離に応じてフォーカスレンズを移動させるとともに、無限遠にいる被写体を撮影するのに適した最遠セット位置に前記フォーカスレンズを待機させるレンズ駆動手段と、
を備えることを特徴とする請求項１に記載のカメラ。
【請求項３】
被写体までの距離を測定する測距手段と、
前記測距手段により測定された距離ごとに、撮影された頻度を計測する頻度計測手段と、
前記頻度計測手段により計測された距離ごとの撮影頻度を記憶する頻度記憶手段と、
撮影する際には前記測距手段により測定された被写体までの距離に応じてフォーカスレンズを駆動させるとともに、前記頻度記憶手段に記憶されている頻度の高い距離に対応したセット位置にフォーカスレンズを待機させるレンズ駆動手段と、
を備えることを特徴とする請求項１に記載のカメラ。
【請求項４】
被写体までの距離に応じた電気信号を生成する電気信号生成手段と、
前記電気信号生成手段により生成された電気信号を複数回入力して積分する積分手段と、
前記輝度検出手段により検出された外光輝度が所定輝度以下である場合、前記積分手段により電気信号が第１の回数積分されて得られた測距信号に基づいて被写体までの距離を算出し、前記輝度検出手段により検出された外光輝度が所定輝度より大きい場合、前記積分手段により電気信号が前記第１の回数より少なく設定されている第２の回数積分されて得られた測距信号に基づいて被写体までの距離を算出する距離算出手段と、
前記距離算出手段により算出された距離に基づいて合焦制御を行うとともに、前記露出制御手段による露出制御を行って撮影を行う撮影手段と、
を備えることを特徴とする請求項１から３のいずれか１項に記載のカメラ。
【発明の詳細な説明】
【技術分野】
【０００１】
本発明は、フォーカスレンズを移動させて合焦動作を行うカメラに関する。
【背景技術】
【０００２】
近年のオートフォーカス機能を有しているカメラは、被写体までの距離に応じてフォーカスレンズを移動させることで合焦動作を行っている。例えば、特開平９−２０５５７３号公報（特許文献１）には、フォーカスレンズ駆動部によりフォーカスレンズを焦点評価値が大きくなる方向に移動させて、合焦動作を行うことが記載されている。
【特許文献１】特開平９−２０５５７３号公報
【発明の開示】
【発明が解決しようとする課題】
【０００３】
しかしながら、特許文献１に記載の合焦動作では、レリーズボタンを押下し、フォーカスレンズを移動させて合焦動作を行い、そして撮影する動作を行うことになり、レリーズボタンを押下してから撮影までの、いわゆるレリーズタイムラグが生じ、軽快な撮影を行うには限界があった。
【０００４】
そこで、本発明は、レリーズタイムラグを縮めて、軽快な撮影を行うことができるカメラを提供することを目的とする。
【課題を解決するための手段】
【０００５】
上述の課題を解決するため、本発明のカメラは、外光輝度を検出する輝度検出手段と、  前記輝度検出手段により検出された外光輝度に対応した露出値を算出する露出値演算手段と、前記露出値演算手段により算出された露出値における所定範囲においては、Ｆ値を一定にしてシャッタースピードのみを可変にすることで露出制御を行い、前記所定範囲を超えた範囲においては、Ｆ値とシャッタースピードとをともに可変にすることで露出制御を行うとともに、前記所定範囲を超えた範囲における、特定範囲においては、当該特定範囲の下限で定められたＦ値より大きいＦ値を用いて当該特定範囲における露出制御を行う露出制御手段と、を備えている。
【０００６】
この発明によれば、露出値演算手段により、外光輝度に応じた露出値を算出して、この露出値演算手段により算出された露出値における所定範囲においては、Ｆ値を一定にしてシャッタースピードのみを可変にすることで露出制御を行い、所定範囲を超えた範囲においては、Ｆ値とシャッタースピードとをともに可変にすることで露出制御を行うとともに、所定範囲を超えた範囲における、特定範囲においては、当該特定範囲の下限で定められたＦ値より大きいＦ値を用いて、当該特定範囲における露出制御を行うことができる。
【０００７】
これにより、外光輝度が所定範囲を超えた特定範囲においては、当該特定範囲の下限で定められたＦ値より大きいＦ値を用いて、露出制御を行うことができ、被写界深度を拡大することができる。すなわち、被写界深度を拡大することにより、フォーカスレンズを大きく移動させることなく、被写体に対して適切な合焦動作を行うことができる。よって、フォーカスレンズを移動させるための時間を節約することができ、レリーズタイムラグを縮め、軽快な撮影を行うことができる。
【０００８】
また、本発明のカメラは、被写体までの距離を測定する測距手段と、撮影する際には前記測距手段により測定された被写体までの距離に応じてフォーカスレンズを移動させるとともに、無限遠にいる被写体を撮影するのに適した最遠セット位置に前記フォーカスレンズを待機させるレンズ駆動手段と、をさらに備えていることが好ましい。
【０００９】
この発明によれば、測距手段により被写体までの距離を測定し、測定した距離に応じてフォーカスレンズを移動させるレンズ駆動手段によりフォーカスレンズを無限遠にいる被写体を撮影するのに適した最遠セット位置に待機させることができる。これにより、被写体までの距離が無限遠である場合（例えば、１０５０ｍｍ以上である場合）、レンズ駆動手段は、合焦動作のためのフォーカスレンズの移動を行う必要がなく、レンズ移動のための時間を節約して、レリーズタイムラグを縮め、軽快な撮影を行うことができる。
【００１０】
また、本発明のカメラは、被写体までの距離を測定する測距手段と、前記測距手段により測定された距離ごとに、撮影された頻度を計測する頻度計測手段と、前記頻度計測手段により計測された距離ごとの撮影頻度を記憶する頻度記憶手段と、撮影する際には前記測距手段により測定された被写体までの距離に応じてフォーカスレンズを駆動させるとともに、前記頻度記憶手段に記憶されている頻度の高い距離に対応したセット位置にフォーカスレンズを待機させるレンズ駆動手段と、をさらに備えていることが好ましい。
【００１１】
この発明によれば、測距手段により被写体までの距離を測定し、測定された距離ごとに測定した頻度を対応付けて記憶し、記憶した頻度の高い距離に対応したセット位置にフォーカスレンズを待機させることができる。これにより、合焦制御のためのフォーカスレンズを駆動させる可能性を低くすることができ、フォーカスレンズを移動させるための時間を節約して、レリーズタイムラグを縮め、軽快な撮影を行うことができる。
【００１２】
また、本発明のカメラは、被写体までの距離に応じた電気信号を生成する電気信号生成手段と、前記電気信号生成手段により生成された電気信号を複数回入力して積分する積分手段と、前記輝度検出手段により検出された外光輝度が所定輝度以下である場合、前記積分手段により電気信号が第１の回数積分されて得られた測距信号に基づいて被写体までの距離を算出し、前記輝度検出手段により検出された外光輝度が所定輝度より大きい場合、前記積分手段により電気信号が前記第１の回数より少なく設定されている第２の回数積分されて得られた測距信号に基づいて被写体までの距離を算出する距離算出手段と、前記距離算出手段により算出された距離に基づいて合焦制御を行うとともに、前記露出制御手段による露出制御を行って撮影を行う撮影手段と、をさらに備えていることが好ましい。
【００１３】
この発明によれば、輝度検出手段により検出された外光輝度が所定輝度以下である場合、積分手段により第１の個数の電気信号が積分されて得られた測距信号に基づいて距離算出手段は被写体までの距離を算出し、輝度検出手段により検出された外光輝度が所定輝度より大きい場合、積分手段により前記第１の個数より少なく設定されている第２の個数の電気信号が積分されて得られた測距信号に基づいて距離算出手段は被写体までの距離を算出することができる。撮影手段は、算出された距離および露出制御に基づいて撮影を行う。
【００１４】
これにより、高輝度時には、露出基準値に基づいて露出制御するとともに、被写体までの距離を測定する際、少ない個数の電気信号を積分することにより、測距時間を短縮することができる。つまり、高輝度時においては、輝度に応じた露出制御を行って、露出制御のＦ値は大きく設定されることになり、被写界深度を拡大することができる。Ｆ値が大きく設定された場合、ＡＦ線図において規定する錯乱円（および許容錯乱円）に対する被写体までの距離（フォーカスレンズのセット位置）における焦点ずれの許容幅は大きくなる。よって、被写体の測距を大まかに行ったとしても、合焦精度に対する影響は少なく、実質的に合焦精度を担保しつつ、測距時間を短縮することができる。
【発明の効果】
【００１５】
本発明は、レリーズボタンを押してから撮影するまでの時間であるレリーズタイムラグを縮め、軽快な撮影を行うことができる。
【発明を実施するための最良の形態】
【００１６】
本発明は、一実施形態のために示された添付図面を参照して以下の詳細な記述を考慮することによって容易に理解することができる。引き続いて、添付図面を参照しながら本発明の実施形態を説明する。可能な場合には、同一の部分には同一の符号を付して、重複する説明を省略する。
【００１７】
図１は、本実施形態のカメラ１００の斜視図である。図１に示すように、１３５フィルムフォーマットのパトローネを装填するレンズシャッターカメラである。このカメラ１００は、その上端にレリーズボタン１０１が設けられている。カメラ１００の前面の中央部には、フォーカスレンズ８を組み込んだ鏡胴（後述するシャッター部１０５を構成する）が取り付けられている。この鏡胴には、フォーカスレンズ８およびシャッターからなるオートフォーカス動作が可能な撮影レンズ鏡胴１０５ａが用いられる。カメラ１００の上部にはファインダ９、ストロボ発光部１０４、ＡＦ投光窓４ａ及びＡＦ受光窓５ａが設けられている。これらＡＦ投光窓４ａおよびＡＦ受光窓５ａを通じて発光し受光できるように、後述するＩＲＥＤ（赤外線発光ダイオード）４およびＰＳＤ（位置検出素子）５が配置され、これらＩＲＥＤ４及びＰＳＤ５は、例えば三角測量の原理に基づいて被写体までの距離を測定する測距部を構成している。
【００１８】
また、カメラ１００には、測光部１０３が設けられている。測光部１０３は、撮影視野内の外光輝度を測定する測光手段として機能する。この測光部１０３は、例えば中央重点平均測光センサとして一つのＳＰＤデバイス（赤外カットフィルタを光路上に内蔵したもの）を備えたものが用いられる。このＳＰＤデバイスは近似的に撮影レンズ光学系の光軸上に向けられている。
【００１９】
次に、カメラ１００のブロック構成図について図２に基づいて説明する。図２は、本実施形態のカメラ１００のブロック構成図である。カメラ１００は、例えば、１３５フィルムフォーマットのパトローネを装填するレンズシャッターカメラに適用される。このカメラ１００は、制御部１、メモリ部２、ドライバ３、ＩＲＥＤ４、ＰＳＤ５、ＡＦＩＣ（自動焦点用ＩＣ）１０、レリーズボタン１０１、フィルム感度検出部１０２、測光部１０３、ストロボ発光部１０４、シャッター部１０５、を備えている。以下、各部について説明する。
【００２０】
レリーズボタン１０１は、ユーザが被写体を撮影しようとするときに押下するボタンである。このレリーズボタン１０１が押下されるとシャッター部１０５がシャッターの開閉動作を行う。
【００２１】
フィルム感度検出部１０２は、フィルム装填部（図示せず）に装填されたフィルムの感度を検出する感度検出手段である。フィルム感度検出部１０２は、フィルムパトローネに示されるＣＡＳコードのうち感度をあらわす部分を読取り、読取った情報を制御部１に出力する。制御部１では、出力された情報に基づいてフィルム感度を認識することができる。フィルム感度はＩＳＯ（International Organization for Standardization）で定められている。なお、ユーザがマニュアル操作においてフィルム感度を設定するようにしてもよい。
【００２２】
測光部１０３は、被写体の輝度（外光輝度を含む）を検出する輝度検出手段である。測光部１０３が測定した輝度を示す情報を制御部１に出力し、制御部１では、外光輝度をＡＰＥＸ単位であるＢＶ値（Brightness Value）に変換する。なお、ＬＶ値（LightValue、ＬＶ値＝ＢＶ値＋ＳＶ値）を用いてもよい。なお、ＳＶ値は“Film Speed Value”のことである。
【００２３】
ストロボ発光部１０４は、測光部１０３が測定した外光輝度に基づき、自動的に又はユーザの操作により、被写体にストロボ光を発光するものである。
【００２４】
シャッター部１０５は、制御部１による露出制御（シャッタースピードおよびＦ値（レンズ絞り））に基づいて、Ｆ値で示された径で開口し、シャッタースピードで示された時間経過すると閉口する動作を行うものであり、シャッター部１０５が開口している間レンズを通して得た画像はフィルムに転写される。
【００２５】
メモリ部２は、プログラム線図（図３および図４参照）、および動作プログラムを記憶している。ここで、図３および図４を用いてプログラム線図について説明する。図３は、標準のプログラム線図であり、図４は、露出値の特定範囲（１４≦ＥＶ値≦１５．５）においてＦ値を１１に設定した特別なプログラム線図である。ここでプログラム線図は、露出制御のためのＡＰＥＸ単位で示されるＥＶ値と、同じくＡＰＥＸ単位であるＴＶ値（Shutter Speed Value）およびＡＶ値（Aperture Value）とを対応付けた制御情報である。なお、ＴＶ値とは、シャッタースピードを示し、ＡＶ値とは、Ｆ値（レンズ絞り）を示す情報である。なお、本実施形態におけるカメラ１００は、図３および図４に示したとおり、プログラム線図を２種類記憶している。これらプログラム線図の詳細については後述する。また、動作プログラムは、カメラ１００における撮影動作に関する一連の制御処理を行うためのプログラムである。
【００２６】
ドライバ３は、制御部１からの指示によりＩＲＥＤ４を被写体に対して投光させる制御を行うものである。
【００２７】
ＩＲＥＤ４は、被写体までの距離を測定するためのものであり、被写体に対して光を照射するものである。
【００２８】
ＰＳＤ５は、ＩＲＥＤ４が照射した光が被写体から反射した光に基づいて被写体までの距離を算出するものである。具体的には、ＰＳＤ５は、受光した光に基づいた光量を示す情報を制御部１に出力し、制御部１は、入力された光量を示す情報に基づいて被写体までの距離を算出する。これらＩＲＥＤ４およびＰＳＤ５から測距部が構成されている。
【００２９】
ＡＦＩＣ（自動焦点ＩＣ）１０は、ＰＳＤ５から入力された被写体からの反射光に基づいてＡＦ信号を生成するＩＣ回路である。この詳細は後述する。
【００３０】
制御部１は、カメラ１００全体の制御を行う制御手段であり、例えばＣＰＵ、ＲＯＭ、ＲＡＭ、入力信号回路、出力信号回路などを備えて構成されている。この制御部１は、後述する動作フローチャートを実行する。例えば、レリーズボタン１０１の押下を検出すると、シャッター部１０５を動作させるよう指示を出力する。また、フィルム感度検出部１０２からの情報に基づいてフィルム感度を判断する。また、測光部１０３から出力された被写体の光量を示す情報に基づいてＢＶ値を算出する。また、レリーズボタン１０１が半押しされた状態を検出すると、測距部を動作させる。
【００３１】
さらに、制御部１は、上述機能に加えて、図３に示す標準のプログラム線図を用いて、算出された露出値に応じてＦ値とシャッタースピードとを可変にすることで露出制御を行うとともに、算出された露出値における所定範囲（例えば、２＜ＥＶ値＜８．５）においては、Ｆ値を一定にしてシャッタースピードのみを可変にすることで露出制御を行う。また、前記所定範囲を超えた範囲（例えば、ＥＶ≧８．５）においては、Ｆ値とシャッタースピードとをともに可変にすることで露出制御を行う。フィルム感度検出部１０２により検出されたフィルム感度が所定感度（例えばＩＳＯ感度１６００）以上であった場合には、所定範囲を超えた範囲における、特定範囲（例えば、１４≦ＥＶ値≦１５．５）においては、図４に示すような特別なプログラム線図を用いて、当該特定範囲の下限で定められたＦ値より大きく定められたＦ値（例えば、Ｆ値＝１１）を用いて、当該特定範囲における露出制御を行う。このように、制御部１は、露出値を算出する露出値演算手段、および露出制御手段として機能する。
【００３２】
次に、このように構成されたカメラ１００に記憶されている特別なプログラム線図について説明する。本実施形態で示されるカメラ１００は、露出値に応じて露出制御を行う際、フィルムが所定感度以上（ＩＳＯ感度１６００以上）の場合は、特別なプログラム線図による露出制御を行い、フィルム感度が所定感度未満の場合は、標準のプログラム線図による露出制御を行うものである。この特別なプログラム線図は、露出値における特定範囲において、通常のプログラム線図で定められているＦ値より大きく設定されたＦ値を設定するものである。以下、詳細に説明する。
【００３３】
図４は、本実施形態における特別なプログラム線図を示す。このプログラム線図は、標準のプログラム線図（図３参照）と比較して、露出値（ＥＶ値）が特定範囲（例えば、１４≦ＥＶ値≦１５．５）にある場合、その特定範囲の下限で定められているＦ値より大きなＦ値が定められている。図４においては、“１４≦ＥＶ値≦１５．５”の範囲では、Ｆ値＝１１が設定されている。なお、ここでのＦ値は一定に定められている必要はなく、その特定範囲の下限で定められているＦ値より大きなＦ値が定められていればよい。また、本実施形態のとおり、特定範囲の上限で定められているＦ値に設定されていることが好ましい。
【００３４】
次に、図４に示すように、特定範囲においてＦ値を、特定範囲の下限で定められているＦ値より大きな値に設定したことにおける作用効果について説明する。図５および図６は、錯乱円の大きさと被写体距離との関係におけるフォーカスレンズ８のズレ許容幅の関係を示すＡＦ線図である。このＡＦ線図は、縦軸に錯乱円の大きさを示し、横軸に被写体までの距離を示す線図である。この図５において、例えば、フォーカスレンズ８が７２３ｍｍ離れている被写体に焦点があうように制御された場合、７６５ｍｍ〜６８５ｍｍ離れている被写体に対して許容できる錯乱円の大きさであること（つまり、被写界深度内にいること）が示されている。本実施形態においては、図５が、焦点距離＝２４ｍｍ、Ｆ値（ＦＮＯ）＝２であるときのＡＦ線図であり、図６が焦点距離＝２４ｍｍ、Ｆ値（ＦＮＯ）＝１１であるときのＡＦ線図である。
【００３５】
ここで、錯乱円について説明する。測距装置を使ってレンズのピント合わせを行う場合、通常、レンズはリニアに移動せず、ピントのズレの許容範囲内において段階的に移動することになる。このようなカメラで、“点”を撮影した場合、レンズのピントが合っている状態であれば、そのまま“点”がフィルム面で形成される。また、ピントが許容範囲内での多少のズレをもって、撮影された“点”は、フィルム上にぼやけた状態で形成されることになる。このように、ぼやけた状態で形成されたものを、錯乱円という。
【００３６】
一般的なカメラにおけるＡＦ線図の特性は、Ｆ値で示されている数値を増加すると、つまり絞りを絞ると、ＡＦ線図で示される斜線の傾斜は緩やかになるものである。すなわち、Ｆ値を増加するほど、フォーカスレンズ８による合焦範囲が広くなり、フォーカスレンズ８を移動させる必要性がなくなる場合が多くなる。
【００３７】
例えば、図５においては、Ｆ値＝２と、小さい値にＦ値が設定され、絞りが開放されている状態であるため、ＡＦ線図で示されている斜線の傾斜は比較的急である。よって、フォーカスレンズ８による錯乱円に対する、フォーカスレンズ８の位置と被写体距離とのズレ許容幅は狭くなり、必然的に、被写体までの距離に応じて、合焦できるようにフォーカスレンズ８を適切な合焦位置に移動させる場合が多くなる。したがって、フォーカスレンズ８を移動させるための時間が必要とされる。
【００３８】
一方、図６においては、Ｆ値＝１１と、大きい値にＦ値が設定され、絞りが絞られている状態であるため、ＡＦ線図で示されている斜線の傾斜は比較的緩やかである。よって、フォーカスレンズ８による錯乱円に対する、フォーカスレンズ８の位置と被写体距離とのズレ許容幅は広くなり、必然的に、被写体までの距離に応じて、合焦できるようにフォーカスレンズ８を適切な合焦位置に移動させる場合が少なくなり、フォーカスレンズ８を移動させるための時間が省略される。図６においては、フォーカスレンズ８を最遠セット位置（図６における被写体距離２５０３ｍｍに合焦させた場合のセット位置）に常に待機させておくように設定した場合、被写体距離が１０５０ｍｍ以上である被写体に対して撮影しようとするとき、被写体はフォーカスレンズ８のズレ許容幅の範囲にいることになるため、フォーカスレンズ８を移動させる必要がなく、フォーカスレンズ８による合焦動作のための時間を省略することができる。
【００３９】
このように、Ｆ値を増加させて、絞りを絞った状態すると、ＡＦ線図で示される斜線の傾斜は緩やかになり、いわゆる被写界深度が拡大することになり、フォーカスレンズ８による合焦動作のための時間を省略することができる。
【００４０】
次に、このような特性を考慮したカメラ１００の具体的な動作について説明する。図７は、カメラ１００の撮影動作を示すフローチャートである。このフローチャートの制御処理はメモリ部２に格納されているプログラムに基づき制御部１によって実行される。
【００４１】
制御部１は、カメラ１００のレリーズボタン１０１が押下されたことを判断すると（Ｓ１１）、測光部１０３に対して測光処理を行うよう指示を出力する。測光部１０３は、外光輝度を検出し、検出信号を出力する。制御部１は、入力された検出信号に基づいて輝度値となるＢＶ値を算出する（Ｓ１２）。
【００４２】
制御部１は、フィルム感度に応じたＳＶ値とＢＶ値を加算して露出値を算出する（Ｓ１３）。例えば、ＥＶ値（露出値）＝ＢＶ値＋ＳＶ値からなる数式を用いてＥＶ値を算出する。具体的に示すと、ＩＳＯ感度１６００のフィルムのＡＰＥＸ単位は＋９であり、ＢＶ値が３のときには、露出値は９＋３＝１２となる。
【００４３】
そして、制御部１は、フィルム感度検出部１０２が検出したフィルムの感度が所定感度（例えばＩＳＯ感度１６００）以上であるか否かを判断する（Ｓ１４）。
【００４４】
Ｓ１４において、フィルム感度が所定感度（例えば、ＩＳＯ感度１６００）以上である場合、制御部１は、Ｓ１３において算出された露出値が、特定範囲（例えば、１４≦ＥＶ値≦１５．５）に含まれているか否かを判断する（Ｓ１５）。Ｓ１５において、露出値が特定範囲にない場合、制御部１は特別なプログラム線図により規定されたＦ値による露出制御を行う（Ｓ１６）。つまり、ここでは、標準のプログラム線図に規定されたＦ値と同じＦ値による露出制御を行うことになる。そして、制御部１は、シャッター部１０５による撮影を行う（Ｓ１９）。
【００４５】
Ｓ１５において、露出値が特定範囲に含まれている場合、制御部１は特別なプログラム線図を用いて、当該特定範囲の下限で定められているＦ値より大きく設定されたＦ値に基づいて露出制御を行う（Ｓ１７）。ここでは、例えば、露出値が“１４≦ＥＶ値≦１５．５”の範囲にある場合、Ｆ値＝１１を用いた露出制御を行う。そして、制御部１は、シャッター部１０５による撮影を行う（Ｓ１９）。
【００４６】
Ｓ１４において、制御部１は、フィルム感度がＩＳＯ１６００で示される感度以上でないと判断すると、標準のプログラム線図により規定されたＦ値による露出制御を行う（Ｓ１８）。そして、制御部１は、シャッター部１０５による撮影を行う（Ｓ１９）。
【００４７】
このように、特別なプログラム線図を用いて、フィルム感度がＩＳＯ１６００以上であって露出値が特定範囲（１４≦ＥＶ≦１５．５）にある場合は、特定範囲の下限で定められたＦ値より大きく定められたＦ値（Ｆ値＝１１）を用いて、露出値が特定範囲にある場合おける露出制御を行うことができ、被写界深度を拡大することができる。すなわち、被写界深度を拡大することにより、フォーカスレンズ８を大きく移動させることなく、被写体に対して適切な合焦動作を行うことができる。よって、フォーカスレンズ８を移動させるための時間を節約することができ、レリーズタイムラグを縮め、軽快な撮影を行うことができる。
【００４８】
このようなカメラにおいて、フォーカスレンズ８を移動させる時間を短くし、または省略するためには、フォーカスレンズ８を撮影頻度の高い位置に予め位置させておくことが好ましい。以下、その詳細について図８に基づいて説明する。図８は、フォーカスレンズ８を最遠セット位置に移動させるときの動作を示すフローチャートである。
【００４９】
図７で示した動作による撮影が終了すると（Ｓ２１）、直ちにまたは所定時間経過後、制御部１は、フォーカスレンズ８の位置を移動させるか否かを判断する（Ｓ２２）。つまり、Ｓ２１において撮影した際に、フォーカスレンズ８が最遠セット位置に位置していたか否かを判断する。
【００５０】
最遠セット位置にフォーカスレンズ８が位置しておらず、フォーカスレンズ８の位置を移動させると、制御部１が判断した場合、制御部１はレンズ駆動回路７（図１０参照）を制御してフォーカスレンズ８を最遠セット位置に移動させ、当該最遠セット位置に待機させ、次の撮影にそなえる（Ｓ２３）。また、Ｓ２２において、移動させる必要がないと、制御部１が判断した場合、フォーカスレンズ８に対する移動制御を行うことなく、処理を終了する。
【００５１】
このように、フォーカスレンズ８のセット位置（待機位置）を最遠セット位置にすることで、被写体までの距離が無限遠である場合（例えば、１０５０ｍｍ以上である場合（図６参照））、レンズ駆動回路７により、合焦動作のためのフォーカスレンズ８が移動されることがなく、フォーカスレンズ８移動のための時間を節約して、レリーズタイムラグを縮め、軽快な撮影を行うことができる。すなわち、Ｆ値を上げた場合における最遠セット位置は、撮影時における被写体距離の大半を占めると考えられていることから、撮影時のレリーズタイムラグを短縮することができ、軽快な撮影を行うことができる。
【００５２】
次に、撮影した被写体距離ごとの撮影頻度（フォーカスレンズ８をセットしたセット頻度）を計数して、計数した撮影頻度に基づいて適切な合焦位置にフォーカスレンズ８を待機させるときの動作について説明する。図９は、フォーカスレンズ８を撮影頻度に応じた適切な待機位置に移動させるときの動作を示すフローチャートである。
【００５３】
図７で示された撮影が終了すると（Ｓ３１）、制御部１は、フォーカスレンズ８がセットされたセット頻度（撮影頻度）を、セット位置ごとに区別してカウントし（Ｓ３２）、カウントされたセット頻度を制御部１に内蔵されるメモリ（図示せず）に記憶させる（Ｓ３３）。なお、制御部１は、撮影時には、測距された被写体までの距離に応じて、フォーカスレンズ８を合焦のためのセット位置に移動させていたものとし、制御部１は、被写体距離ごとの撮影された頻度を計測する頻度計測手段および計測された撮影頻度を記憶する頻度記憶手段として機能する。
【００５４】
記憶終了後、直ちにまたは所定時間経過後、制御部１はフォーカスレンズ８を移動させることが必要か否かを判断する（Ｓ３４）。ここでは、セット位置ごとに記憶されたセット頻度に基づいて、頻度の最も高いセット位置にフォーカスレンズ８を移動させるために、制御部１は、撮影終了時のフォーカスレンズ８のセット位置と頻度の最も高いフォーカスレンズ８のセット位置とが一致しているか否かを判断する。
【００５５】
ここで、制御部１は、フォーカスレンズ８を移動させる必要があると判断すると、レンズ駆動回路７を用いてフォーカスレンズ８を頻度の最も高いセット位置に移動させる（Ｓ３５）。フォーカスレンズ８を移動させる必要がない場合は、レンズ駆動回路７に指示を出すことなく、処理を終了する。
【００５６】
このように、フォーカスレンズ８の待機位置を、撮影時のセット位置ごとのセット頻度（撮影頻度）に基づいて定めることにより、合焦制御のためのフォーカスレンズ８を駆動させる可能性を低くすることができ、フォーカスレンズ８を移動させるための時間を節約して、レリーズタイムラグを縮め、軽快な撮影を行うことができる。さらに、フォーカスレンズ８を移動させる判断（Ｓ３４で示す判断）を、撮影終了後（セット位置の記憶後）、所定時間経過後に行うようにする場合、当該撮影時におけるフォーカスレンズ８の駆動を行うことなく、連続的に撮影をすることができる。
【００５７】
次に、カメラ１００の変形例について説明する。この変形例においては、測距処理における積分回数を輝度に応じて可変にすることに特徴があるものである。まず、測距を行う構成について説明する。図１０は、図２に示した、測距処理を行うＡＦＩＣ１０の部分を詳細にしたブロック構成図である。
【００５８】
制御部１は、上述したようにカメラ１００全体を制御するものであり、メモリ部２に予め記憶されているプログラム、パラメータおよび各種管理情報に基づいて、この測距装置を含むカメラ１００全体を制御する。この図に示すカメラ１００においては、制御部１は、ドライバ３を制御してＩＲＥＤ４からの赤外光の出射を制御し、自動焦点用ＩＣ（以下「ＡＦＩＣ」という。）１０の動作を制御するとともに、ＡＦＩＣ１０から出力されるＡＦ信号を入力する。
【００５９】
ＩＲＥＤ４から出射された赤外光は、ＩＲＥＤ４の前面に配されたＡＦ投光窓４ａを介して測距対象物に投光され、その一部が反射され、そして、その反射光は、ＰＳＤ５の前面に配されたＡＦ受光窓５ａを介してＰＳＤ５の受光面上の何れかの位置で受光される。この受光位置は、測距対象物までの距離に応じたものである。そして、ＰＳＤ５は、その受光位置に応じた２つの信号Ｉ1およびＩ2を出力する。信号Ｉ1は、受光光量が一定であれば距離が近いほど大きな値である近側信号であり、信号Ｉ2は、受光光量が一定であれば距離が遠いほど大きな値である遠側信号であり、信号Ｉ1およびＩ2の和は、ＰＳＤ５が受光した反射光の光量を表し、出力比（Ｉ1／（Ｉ1＋Ｉ2））は、ＰＳＤ５の受光面上の受光位置すなわち測距対象物までの距離を表す。そして、近側信号Ｉ1は、ＡＦＩＣ１０のＰＳＤＮ端子に入力し、遠側信号Ｉ2は、ＡＦＩＣ１０のＰＳＤＦ端子に入力する。ただし、実際には、外界条件により近側信号Ｉ1および遠側信号Ｉ2それぞれに定常光成分Ｉ0が付加された信号がＡＦＩＣ１０に入力される場合がある。
【００６０】
ＡＦＩＣ１０は、集積回路（ＩＣ）であって、第１信号処理回路１１、第２信号処理回路１２、クランプ回路１３、演算回路１４および出力回路１５から構成される。第１信号処理回路１１は、ＰＳＤ５から出力された信号Ｉ1＋Ｉ0を入力し、その信号に含まれる定常光成分Ｉ0を除去して、近側信号Ｉ1を出力するものであり、また、第２信号処理回路１２は、ＰＳＤ５から出力された信号Ｉ2＋Ｉ0を入力し、その信号に含まれる定常光成分Ｉ0を除去して、遠側信号Ｉ2を出力するものである。
【００６１】
クランプ回路１３は、第２信号処理回路１２から出力された遠側信号Ｉ2を入力し、或る一定レベルのクランプ信号Ｉcおよび遠側信号Ｉ2それぞれのレベルを大小比較し、前者が大きいときにはクランプ信号Ｉcを出力し、そうでないときには遠側信号Ｉ2をそのまま出力する。以下では、このクランプ回路１３から出力される信号をＩ2cで表す。
【００６２】
演算回路１４は、第１信号処理回路１１から出力された近側信号Ｉ1と、クランプ回路１３から出力された信号Ｉ2c（遠側信号Ｉ2およびクランプ信号Ｉcの何れか）とを入力し、出力比（Ｉ1／（Ｉ1＋Ｉ2c））を演算し、その結果を出力する。出力回路１５は、その出力比を入力し、ＡＦＩＣ１０のＣINT 端子に接続された積分コンデンサ６とともに、その出力比を多数回積算し、これによりＳ／Ｎ比の改善を図る。そして、制御部１は、その積算された出力比を、ＡＦ信号として受信する。
【００６３】
制御部１は、ＡＦＩＣ１０から出力されたＡＦ信号を入力し、基準値より遠側か、近側かを判定し、判定結果を示す信号をレンズ駆動回路７に送出する。レンズ駆動回路７は、その判定結果を示す信号に基づいてフォーカスレンズ８を合焦動作させる。
【００６４】
このように、ＩＲＥＤ４とＰＳＤ５とから構成される測距部、ＡＦＩＣ１０に基づいて測距信号であるＡＦ信号が出力され、これら測距部およびＡＦＩＣ１０が測距手段ならびに電気信号生成手段として機能する。また、このＡＦ信号に基づいてフォーカスレンズ８を適切な合焦位置に移動させるかを制御部１が判断し、その位置にレンズ駆動回路７がフォーカスレンズ８を移動させ、制御部１およびレンズ駆動回路７が焦点制御手段として機能する。また、制御部１はＡＦ信号に基づいて被写体までの距離を算出することから距離算出手段として機能する。また、制御部１は、レンズ駆動回路７を制御してレンズを移動させて合焦制御を行い、露出制御を行って、シャッター部１０５による撮影を行わせることで、撮影手段として機能する。
【００６５】
次に、ＡＦＩＣ１０の第１信号処理回路１１、クランプ回路１３および出力回路１５について、より具体的な回路構成について説明する。図１１は、本実施形態に係るカメラ１００の測距装置における第１信号処理回路１１および出力回路１５の回路図である。また、図１２は、本実施形態に係るカメラ１００の測距装置におけるクランプ回路１３の回路図である。なお、第２信号処理回路１２も、第１信号処理回路１１と同様の回路構成である。
【００６６】
第１信号処理回路１１は、その回路図が図１１に示されており、ＰＳＤ５から出力された定常光成分Ｉ0を含む近側信号Ｉ1を入力し、これに含まれる定常光成分Ｉ0を除去して、近側信号Ｉ1を出力するものである。ＰＳＤ５の近距離側端子から出力される電流（Ｉ1＋Ｉ0）は、ＡＦＩＣ１０のＰＳＤＮ端子を経て、第１信号処理回路１１のオペアンプ２０の−入力端子に入力される。オペアンプ２０の出力端子はトランジスタ２１のベース端子に接続されており、トランジスタ２１のコレクタ端子は、トランジスタ２２のベース端子に接続されている。トランジスタ２２のコレクタ端子には、オペアンプ２３の−入力端子が接続され、このコレクタ端子の電位が演算回路１４に接続されている。さらに、トランジスタ２２のコレクタ端子には圧縮ダイオード２４のカソード端子が、また、オペアンプ２３の＋入力端子には圧縮ダイオード２５のカソード端子がそれぞれ接続されており、これら圧縮ダイオード２４および２５それぞれのアノード端子には第１基準電源２６が接続されている。
【００６７】
また、ＡＦＩＣ１０のＣＨＦ端子には定常光除去コンデンサ２７が外付けされており、この定常光除去コンデンサ２７は、第１信号処理回路１１内の定常光除去用トランジスタ２８のベース端子に接続されている。定常光除去コンデンサ２７とオペアンプ２３はスイッチ２９を介して接続されており、このスイッチ２９のオン／オフは制御部１により制御される。定常光除去用トランジスタ２８のコレクタ端子はオペアンプ２０の−入力端子に接続されており、定常光除去用トランジスタ２８のエミッタ端子は他端が接地された抵抗３０に接続されている。
【００６８】
出力回路１５は、ＡＦＩＣ１０のＣINT端子に外付けされた積分コンデンサ６を備えている。積分コンデンサ６は、スイッチ６０を介して演算回路１４の出力端子に接続され、スイッチ６２を介して定電流源６３に接続され、スイッチ６４を介して接地されている。これらのスイッチ６０、６２及び６４は、制御部１からの制御信号により制御される。
【００６９】
クランプ回路１３は、その回路図が図１２に示されている。クランプ回路１３の判定用コンパレータ３７の＋入力端子は、第２信号処理回路１２のトランジスタ２２のコレクタ端子に接続されるとともに、スイッチ３８を介して演算回路１４の入力端子に接続されている。一方、判定用コンパレータ３７の−入力端子は、＋入力端子に接続されているトランジスタ２２および圧縮ダイオード２４と同様に、トランジスタ５１のコレクタ端子と圧縮ダイオード５２のカソード端子とに接続されるとともに、スイッチ３９を介して演算回路１４の入力端子に接続されている。
【００７０】
また、トランジスタ５１のベース端子には、クランプ電流源４１が接続されており、これによって所定のクランプレベルが設定されて、所定の大きさの電流がトランジスタ５１のベース端子に入力される。この電流はトランジスタ５１のベース電流となり、その大きさに応じたコレクタ電位が判定用コンパレータ３７の−入力端子に入力される。クランプ電流源４１には、定電流源４２ａとスイッチ４３ａが直列接続され、定電流源４２ｂとスイッチ４３ｂが直列接続され、定電流源４２ｃとスイッチ４３ｃが直列接続され、定電流源４２ｄとスイッチ４３ｄが直列接続されており、それらのスイッチ４３ａ〜４３ｄの他端側がトランジスタ５１のベース端子に接続されている。
【００７１】
例えば、定電流源４２ａは一定電流値０．１２５ｎＡを出力し、定電流源４２ｂは一定電流値０．２５ｎＡを出力し、定電流源４２ｃは一定電流値０．５ｎＡを出力し、定電流源４２ｄは一定電流値１．０ｎＡを出力するものが用いられる。
【００７２】
スイッチ４３ａ〜４３ｄは、クランプレベル切替回路１６から出力される信号Ｑ１〜Ｑ４により制御されて開閉する。そして、クランプ電流源４１は、その閉じられたスイッチに対応する定電流源それぞれからの電流の総和であるクランプ電流をトランジスタ５１のベース端子に入力する。このクランプ電流はトランジスタ５１のベース電流となり、その大きさに応じたコレクタ電位がコンパレータ３７の−入力端子に入力される。なお、クランプ電流は、測距装置の製造時に適宜設定される。
【００７３】
また、スイッチ３９には判定用コンパレータ３７の出力端子が接続されており、判定用コンパレータ３７の出力信号が入力される。また、スイッチ３８にはインバータ４０を介して判定用コンパレータ３７の出力端子が接続されており、判定用コンパレータ３７の出力信号が反転されてから入力される。したがって、スイッチ３８および３９は、判定用コンパレータ３７からの出力信号により、一方がオン状態になると、他方がオフ状態となる関係にある。
【００７４】
また、コンパレータ３７の出力信号は、ＣＭOUT端子を通じてＡＦＩＣ１０から出力され制御部１に入力される。このコンパレータ３７の出力信号は、＋入力端子に入力される遠側信号Ｉ2が−入力端子に入力されるクランプ信号ＩCより大きいときには高電位の信号となり、逆に＋入力端子に入力される遠側信号Ｉ2が−入力端子に入力されるクランプ信号ＩCより小さいときには低電位の信号となる。
【００７５】
以上のように構成されるＡＦＩＣ１０の作用について、図１１および図１２を参照しながら説明する。制御部１は、ＩＲＥＤ４を発光させていないときには、第１信号処理回路１１のスイッチ２９をオン状態にする。このときにＰＳＤ５から出力される定常光成分Ｉ0は、第１信号処理回路１１に入力して、オペアンプ２０ならびにトランジスタ２１および２２から構成される電流増幅器により電流増幅され、圧縮ダイオード２４により対数圧縮されて電圧信号に変換され、この電圧信号がオペアンプ２３の−入力端子に入力する。オペアンプ２０に入力する信号が大きいと、圧縮ダイオードのＶF が大きくなるので、オペアンプ２３から出力される信号が大きく、したがって、定常光除去コンデンサ２７が充電される。すると、定常光除去用トランジスタ２８にベース電流が供給されることになるので、定常光除去用トランジスタ２８にコレクタ電流が流れ、第１信号処理回路１１に入力した信号Ｉ0のうちオペアンプ２０に入力する信号は小さくなる。そして、この閉ループの動作が安定した状態では、第１信号処理回路１１に入力した信号Ｉ0の全てが定常光除去用トランジスタ２８に流れ、定常光除去コンデンサ２７には、そのときのベース電流に対応した電荷が蓄えられる。
【００７６】
制御部１がＩＲＥＤ４を発光させるとともにスイッチ２９をオフ状態にすると、このときにＰＳＤ５から出力される信号Ｉ1＋Ｉ0のうち定常光成分Ｉ0は、定常光除去コンデンサ２７に蓄えられた電荷によりベース電位が印加されている定常光除去用トランジスタ２８にコレクタ電流として流れ、近側信号Ｉ1は、オペアンプ２０ならびにトランジスタ２１および２２から構成される電流増幅器により電流増幅され、圧縮ダイオード２４により対数圧縮され電圧信号に変換されて出力される。すなわち、第１信号処理回路１１からは、定常光成分Ｉ0が除去されて近側信号Ｉ1のみが出力され、その近側信号Ｉ1は、演算回路１４に入力する。
【００７７】
一方、第２信号処理回路１２も、第１信号処理回路１１と同様に、定常光成分Ｉ0が除去されて遠側信号Ｉ2のみが出力され、その遠側信号Ｉ2は、クランプ回路１３に入力する。クランプ回路１３に入力した遠側信号Ｉ2は、クランプ回路１３の判定用コンパレータ３７の＋入力端子に入力する。クランプ電流源４１から出力された信号は、トランジスタ５１のベース電流として流れ、これに伴い生じるトランジスタ５１のコレクタ端子の電位（クランプ信号Ｉc）が判定用コンパレータ３７の−入力端子に入力する。近側信号Ｉ2とクランプ信号Ｉcとは、判定用コンパレータ３７により大小比較され、その結果に応じて、スイッチ３８および３９のうち一方がオンされ、他方がオフされる。すなわち、近側信号Ｉ2がクランプ信号Ｉcより大きいときには、スイッチ３８がオン状態となり、スイッチ３９がオフ状態となり、クランプ回路１３の出力信号Ｉ2cとして近側信号Ｉ2が出力される。大小関係が逆の場合には、スイッチ３８がオフ状態となり、スイッチ３９がオン状態となり、クランプ回路１３の出力信号Ｉ2cとしてクランプ信号Ｉcが出力される。
【００７８】
クランプ回路１３から出力された信号Ｉ2cおよび第１信号処理回路１１から出力された近側信号Ｉ1は、演算回路１４に入力され、演算回路１４により出力比（Ｉ1／（Ｉ1＋Ｉ2c））が演算されて出力され、その出力比は、出力回路１５に入力される。ＩＲＥＤ４が所定回数だけパルス発光している時には、出力回路１５のスイッチ６０はオン状態とされ、スイッチ６２及びスイッチ６４はオフ状態とされる。そして、演算回路１４から出力された出力比信号（距離演算値）は積分コンデンサ６に蓄えられ、出力比信号の積分が行われる。つまり、出力比信号が徐々に積分コンデンサ６に積分され、この積分動作の回数はメモリ部２に設定され、その積分動作の回数に応じてコントロール信号のパルス入力が行われる。このときの積分コンデンサ６の電圧値、つまり積分結果は、上述のようにＡＦ信号（距離データ）として制御部１によって読み出される。制御部１は、ＡＦＩＣ１０からＡＦ信号を受信すると、このＡＦ信号及びメモリ部２に記憶された情報等に基づいて測距対象物までの距離を検出する。なお、本実施形態では、出力回路１５、積分コンデンサ６、及び制御部１によって積分手段が構成されている。
【００７９】
次に、このように構成されたカメラ１００の測距を行うときの積分動作について図１３を用いて説明する。図１３は、カメラ１００における積分動作を含んだ撮影動作を示すフローチャートである。
【００８０】
写真撮影のためにレリーズボタンが押下されたことが制御部１により判断されると（Ｓ１０１）、被写体（および外光輝度）は測光部１０３により測光され、測光値が取得される（Ｓ１０２）。取得された測光値に対応した露出値が制御部１により算出される（Ｓ１０３）。そして、フィルム感度検出部１０２により検出されたフィルム感度が所定感度（例えばＩＳＯ感度１６００）以上であるか否かが、制御部１により判断される（Ｓ１０４）。
【００８１】
Ｓ１０４において、フィルム感度が所定感度以上であると判断されると、測光部１０３により測定された測光値が所定輝度以上であるか否かが、制御部１により判断される（Ｓ１０５）。
【００８２】
Ｓ１０５において、測光値が所定輝度以上ではない場合は、制御部１により判断された場合、出力回路１５における積分動作が、通常回数である３００回行われる。なお、ここでの「所定輝度」とは予め定めた輝度をいい、一般的に高輝度といわれる値に設定されるものである。例えば露出値においてＥＶ値≧１４となるような輝度である。そして、積分して得たＡＦ信号に基づいて被写体までの距離が、制御部１により算出される（Ｓ１０６）。算出された距離に基づいて、レンズ駆動回路７によりフォーカスレンズ８は移動され、合焦動作が行われる（Ｓ１０７）。合焦動作後、特別なプログラム線図（図４参照）を用いて露出値に対応した露出制御が行われ（Ｓ１０８）、シャッター部１０５による撮影が行われる（Ｓ１１６）。
【００８３】
また、Ｓ１０６において、測光値が所定輝度以上の場合は、出力回路１５における積分動作が、通常回数より少ない回数である２０回行われる（Ｓ１０９）。制御部１により、積分して得た仮ＡＦ信号に予め定めた係数が乗算され、ＡＦ信号が算出される。そして、算出されたＡＦ信号により距離が算出され（Ｓ１１０）、算出された距離に基づいてレンズ駆動回路７によりフォーカスレンズ８は移動され、合焦動作が行われる（Ｓ１１１）。合焦動作後、特別なプログラム線図（図４参照）を用いて露出値に対応した露出制御が行われ（Ｓ１１２）、シャッター部１０５による撮影が行われる（Ｓ１１６）。
【００８４】
なお、乗算される係数は、測距回数の比に基づいて予め定められている。例えば、通常（所定輝度以下）の積分回数を３００回とし、所定輝度以上のときの積分回数を２０回とした場合、乗算すべき係数は、１５（３００÷２０＝１５）と定められる。また、このように算出された係数に対して、被写界深度、または測距ばらつきによる実験に基づいて調整した値を、乗算すべき係数とすることが好ましい。
【００８５】
また、Ｓ１０４において、フィルム感度検出部１０２により検出されたフィルム感度がＩＳＯ１６００以上ではないと、制御部１により判断されると、出力回路１５における積分動作が、通常回数である３００回行われる。そして、積分して得たＡＦ信号に基づいて被写体までの距離が、制御部１により算出される（Ｓ１１３）。算出された距離に基づいて、レンズ駆動回路７によりフォーカスレンズ８は移動され、合焦動作が行われる（Ｓ１１４）。合焦動作後、標準のプログラム線図を用いて露出値に対応した露出制御が行われ（Ｓ１１５）、シャッター部１０５による撮影が行われる（Ｓ１１６）。
【００８６】
次に、上述Ｓ１０６における積分動作（３００回の積分）と、Ｓ１０９における積分動作（２０回の積分）とを比較しながら、Ｓ１０９における積分動作の作用効果を説明する。
【００８７】
まず、Ｓ１０６における積分動作の詳細について説明する。図１４は、積分回数を３００回にした場合の積分処理におけるタイミングチャートである。
【００８８】
レリーズボタンの押下などのカメラ操作により、測距ルーチンの制御処理が開始され、コントロール信号に従って制御処理が順次行われる。コントロール信号は、制御部１からＡＦＩＣ１０のＣＯＮＴ端子に入力される制御信号であり、図１４のＣＯＮＴに示すように、先行する六つのパルス（Ｐ１〜Ｐ６）と、それに次いで入力される積分動作のためのパルス（Ｐ１０、Ｐ２０）とによりなる信号である。
【００８９】
ＡＦＩＣ１０にドライバ３から電源供給が開始されると、その電源供給を受けて積分コンデンサ６の急速充電が行われる。ここでの急速充電は、積分コンデンサ６を活性化させるためのものであり、急速充電を長く行うことにより、積分コンデンサ６は安定する。そして、コントロール信号のパルスＰ１の立ち下がり時に積分コンデンサ６の急速充電を終了し、積分コンデンサ６の放電が行われる。
【００９０】
そして、コントロール信号のパルスＰ３の立ち下がり時に補正積分が行われる。補正積分は、積分コンデンサ６に一定時間に一定電流を流すことにより行われる。この補正積分は、コントロール信号のパルスＰ４の立ち下がりにより終了する。
【００９１】
そして、積分コンデンサ６の充電電圧がＡ／Ｄ変換され、制御部１に読み込まれる。制御部１では、Ａ／Ｄ変換された電圧値から積分コンデンサ６の容量を算出する。この実測の容量に基づいて測距演算結果に補正を行うことにより、測距精度の向上が図られる。そして、パルスＰ５の入力により積分コンデンサ６が放電される。
【００９２】
そして、コントロール信号のパルスＰ１０の立ち上がり時からパルスＰ２０の立ち上がり時までの期間では定常光除去コンデンサ２７の充放電がホールドされ、パルスＰ１０の立ち下がり時からパルスＰ２０の立ち上がり時までの期間ではスイッチ６０がオンされ積分コンデンサ６へ出力比信号に応じた充電が行われる。
【００９３】
このコントロール信号のパルスＰ１０、Ｐ２０の入力により、ＩＲＥＤ４による投光が一回行われ、それに従い積分コンデンサ６に充電が行われる。そして、コントロール信号のパルスＰ１０、Ｐ２０が繰り返し入力されることにより、積分コンデンサ電圧が上昇していく。図１４においては、「測距動作」と記されている部分が、積分コンデンサ６に充電されていることを示す部分であり、段階的に積分されていることが示されている。つまり、このタイミングチャートから、積分回数を３００回とした場合は、ＩＲＥＤ４による投光は３００回行われ、３００回分の電圧が積分コンデンサ６に充電されることになることが分かる。充電された積分電圧はＡ／Ｄ変換され、測距信号であるＡＦ信号が算出され、被写体までの距離が求められる。
【００９４】
図１４で示すように、「測距動作」で示される部分で積分動作が行われ、図１４では３００回の積分動作が行われる。ここで、「測距動作」における積分回数と積分電圧との関係を図に示す。図１５は、積分回数を３００回行った場合の積分状態を示す説明図であり、図１６は、積分回数を２０回行った場合の積分状態を示す説明図である。図１５および図１６を比べた場合、積分回数を３００回行った場合に比べて、積分回数を２０回行った場合は、その積分時間は極端に短くなることが分かる。よって、積分回数を少なくすることにより、測距時間を短くすることができる。
【００９５】
さらに、本実施形態における積分回数を２０回にした場合と積分回数を３００回にした場合とを具体的な数値に基づいて比較する。図１７は、その比較表を示す説明図である。積分回数を３００回にした場合、積分コンデンサ６への急速充電時間は１０ｍｓであるのに対して、積分回数を２０回にした場合、急速充電時間は３ｍｓとなる。また、測距時間は、積分回数３００回の場合は２００ｍｓであるのに対して、積分回数２０回の場合は３６ｍｓとなる。さらに、ダイナミックレンジは、積分回数３００回の場合は３．３５Ｖであるのに対して、積分回数２０回の安倍は、０．４８Ｖである。
【００９６】
この図１７からは、積分回数を２０回にした場合、測距時間を短くすることができることが分かる。また、本実施形態においては、さらに測距時間を短くすることができる。すなわち、図１７でもすでに示しているように、図１４のタイミングチャートに示す積分コンデンサ６に対する急速充電を短くすることにより、測距時間を短くすることができる。積分コンデンサ６に対する急速充電は、コンデンサに対する活性化を行うため処理であって、測距を高精度に行うために従来においては長く行う必要があった。しかしながら、本実施形態のように測距に高精度を求める必要がなくなった場合、積分コンデンサ６に対する急速充電を短くすることができれば、測距に必要な時間を短くすることができ、レリーズタイムラグを短くすることができる。本実施形態においては、測距を行う際には、積分コンデンサ６に対する充電時間を、通常時である３００回の積分回数を行うとき（所定輝度未満の場合）より短く設定することにより、測距時間をより短くすることができる。
【００９７】
一方、図１７からはダイナミックレンジが小さくなり、測距精度が悪くなることも読取ることができる。しかしながら、本実施形態においては、積分回数を２０回とした（積分回数を少なくした）場合は、所定輝度以上のときに限定することで、測距精度が悪くなることに対する問題を解消することができる。
【００９８】
すなわち、上述したとおり、測光した測光値が所定輝度以上である場合、プログラム線図で示されるＦ値による絞りが絞られることになる（図３、図４を参照）。そして、Ｆ値を増加させることにより絞りを絞ると、錯乱円と被写体の距離とにおける許容ズレ幅を大きくすることができ、被写体に対する測距に高精度を求める必要がなくなる（図５、図６参照）。つまり、図５および図６に示すように、Ｆ値を増加させると、フォーカスレンズ８による錯乱円に対する、フォーカスレンズ８の位置と被写体距離とのズレ許容幅は広くなり、許容幅が狭い場合と比べて、高精度に被写体距離を測ることは求められない。
【００９９】
したがって、Ｆ値を増加させことで絞りを絞った場合、すなわち、絞りを絞った状態の所定輝度以上の場合に、積分回数を２０回にすることで（少なくして）、測距時間を短くするとともに、測距精度に対する問題を解消することができる。
【図面の簡単な説明】
【０１００】
【図１】本実施形態のカメラ１００の斜視図である。
【図２】本実施形態のカメラ１００のブロック構成図である。
【図３】カメラ１００に記憶されている標準のプログラム線図である。
【図４】露出値の特定範囲（１４≦ＥＶ値≦１５．５）においてＦ値を１１に設定した特別なプログラム線図である。
【図５】錯乱円の大きさと被写体距離との関係におけるフォーカスレンズ８のズレ許容幅の関係を示すＡＦ線図（Ｆ値＝２）である。
【図６】錯乱円の大きさと被写体距離との関係におけるフォーカスレンズ８のズレ許容幅の関係を示すＡＦ線図（Ｆ値＝１１）である。
【図７】カメラ１００の撮影動作を示すフローチャートである。
【図８】フォーカスレンズ８を最遠セット位置に移動させるときの動作を示すフローチャートである。
【図９】フォーカスレンズ８を撮影頻度に応じた適切な待機位置に移動させるときの動作を示すフローチャートである。
【図１０】測距処理を行うＡＦＩＣ１０の部分を詳細にしたブロック構成図である。
【図１１】本実施形態に係るカメラ１００の測距装置における第１信号処理回路１１および出力回路１５の回路図である。
【図１２】本実施形態に係るカメラ１００の測距装置におけるクランプ回路１３の回路図である。
【図１３】カメラ１００の積分動作を含んだ撮影動作を示すフローチャートである。
【図１４】積分回数を３００回にした場合の積分処理におけるタイミングチャートである。
【図１５】積分回数を３００回行った場合の積分状態を示す説明図である。
【図１６】積分回数を２０回行った場合の積分状態を示す説明図である。
【図１７】積分回数を２０回にした場合と積分回数を３００回にした場合とを具体的な数値に基づいて比較する説明図である。
【符号の説明】
【０１０１】
１…制御部、２…メモリ部、３…ドライバ、４ａ…投光窓、５ａ…受光窓、６…積分コンデンサ、７…レンズ駆動回路、８…フォーカスレンズ、９…ファインダ、１００…カメラ、１０１…レリーズボタン、１０２…フィルム感度検出部、１０３…測光部、１０４…ストロボ発光部、１０５…シャッター部、１０５ａ…撮影レンズ鏡胴。
【図１】
2006243188.tif 000003
【図２】
2006243188.tif 000004
【図３】
2006243188.tif 000005
【図４】
2006243188.tif 000006
【図５】
2006243188.tif 000007
【図６】
2006243188.tif 000008
【図７】
2006243188.tif 000009
【図８】
2006243188.tif 000010
【図９】
2006243188.tif 000011
【図１０】
2006243188.tif 000012
【図１１】
2006243188.tif 000013
【図１２】
2006243188.tif 000014
【図１３】
2006243188.tif 000015
【図１４】
2006243188.tif 000016
【図１５】
2006243188.tif 000017
【図１６】
2006243188.tif 000018
【図１７】
2006243188.tif 000019